(57)【要約】【課題】  故障しそうで交換や修理の必要があるナースコール子機の存在を医療従事者などに通知することを目的とする。【解決手段】  ナースコール子機１は、衝撃センサ５により衝撃を検知してその値をナースコール子機１の子機識別信号とともに衝撃検知信号として出力する。ナースコール親機１０は、衝撃センサ５に加わった衝撃の値を子機識別信号に関連付けて記憶部１４に記憶し、記憶部１４に記憶された衝撃検知信号からナースコール子機１に加わった衝撃の値の合計値を子機識別信号毎に演算部１５により算出して、合計値が所定の値以上となった場合に、そのナースコール子機１が故障しそうであることを故障予測部１６により予測して、提示部１７に提示するようにしている。これにより、交換や修理の必要があるナースコール子機１の存在を医療従事者などに適切に通知することができる。【選択図】        図１
2009006069.tif 000002
【特許請求の範囲】
【請求項１】
病床の近傍に設置され患者による呼び出し操作により呼び出しを行うナースコール子機と、ナースセンターに設置され前記ナースコール子機による呼び出しに応答するナースコール親機とを備えるナースコールシステムであって、
前記ナースコール子機に設けられ、衝撃を検知してその衝撃の値を出力する衝撃センサと、
前記ナースコール子機に設けられ、前記衝撃センサから出力された衝撃の値を入力して前記ナースコール子機の識別信号とともに衝撃検知信号として出力する子機用制御部と、
前記子機用制御部により出力された前記衝撃検知信号を入力して前記衝撃の値を前記識別信号に関連付けて記憶する記憶部と、
前記記憶部に記憶された前記衝撃の値の合計値を前記識別信号毎に算出する演算部と、
前記演算部により算出された前記合計値が所定の値以上となった場合に、前記識別信号により特定されるナースコール子機が故障しそうであると予測する故障予測信号を出力する故障予測部と、
前記故障予測信号を入力して前記識別信号により特定されるナースコール子機が故障しそうであることを提示する提示部と、
を備えることを特徴とするナースコールシステム。
【請求項２】
病床の近傍に設置され患者による呼び出し操作により呼び出しを行うナースコール子機と、ナースセンターに設置され前記ナースコール子機による呼び出しに応答するナースコール親機とを備えるナースコールシステムであって、
前記ナースコール子機に設けられ、衝撃を検知して出力する衝撃センサと、
前記ナースコール子機に設けられ、前記衝撃センサからの出力を入力して前記ナースコール子機の識別信号とともに衝撃検知信号として出力する子機用制御部と、
前記子機用制御部から出力された前記衝撃検知信号を入力してその回数を前記識別信号毎にカウントするカウント部と
前記カウント部によりカウントされた回数が所定の回数以上となった場合に、前記識別信号により特定されるナースコール子機が故障しそうであると予測する故障予測信号を出力する故障予測部と、
前記故障予測信号を入力して前記識別信号により特定されるナースコール子機が故障しそうであることを提示する提示部と、
を備えることを特徴とするナースコールシステム。
【発明の詳細な説明】
【技術分野】
【０００１】
本発明は、ナースコールシステムに関し、特に、患者別のナースコール子機からの呼び出しに対して、ナースコール親機および携帯端末で応答通話できるように成されたナースコールシステムに用いて好適なものである。
【背景技術】
【０００２】
従来、病院などの施設に設置されるナースコールシステムでは、病室内の患者の近辺（例えば、ベッド近傍など）に設置されたナースコール子機および看護師などの医療従事者が在室しているナースセンターなどに設置されたナースコール親機を有線や無線などにより接続している。また、ナースコール子機およびナースコール親機は、廊下灯や制御機などを介して接続されている。
【０００３】
ナースコール子機およびナースコール親機を有線にて接続する場合には、ナースコール子機のコードの先端に設けられた接続端子は、病室内のベッド近傍の壁面に埋め込まれたウォールユニットのコンセント部に着脱自在に取り付けられている。
【０００４】
また、ナースコール子機としては、握り押しボタン式子機やハンド形子機等がある。握り押しボタン式子機は、呼び出しボタンの押下により医療従事者を呼び出すものであり通話機能は持っていない。また、ハンド形子機は、呼び出しボタンに加え、マイク、スピーカを内蔵しており通話機能を有している。なお、このようなナースコールシステムは、病院だけではなく、介護施設などでも使用されている。
【０００５】
このようなナースコールシステムにおいて、握り押しボタン式子機やハンド形子機は、患者が操作し易いように、ベッド上の患者の近傍に特に固定されることなく置かれることが多い。そのため、患者のちょっとした動作によりナースコール子機がベッドから落下してしまうことがある。このように、ナースコール子機がベッド上から落下するとナースコール子機に衝撃が加わり、これが繰り返されたり一定以上の衝撃が加わったりすると、ナースコール子機が故障してしまうという問題があった。ナースコールシステムでは、ナースコール子機の操作により行われる人命に関わるような緊急の呼び出しを確実にナースコール親機に通知する必要がある。そのため、ナースコール子機は、できるだけ故障しないように運用される必要があった。
【０００６】
ところで、機器にダメージが付加されたことをダメージ検出手段により検出し、その要因や日時を記憶しておくことで、故障の原因や責任の所在の特定を行う技術が知られている（例えば、特許文献１など）。
【特許文献１】特開平９−１３４２１６号公報
【０００７】
また、携帯電話機本体の落下等による衝撃を検知し、それを表示することにより、本体に衝撃が加わったことを知らせる技術も知られている（例えば、特許文献２など）。
【特許文献２】特開平１１−２２５１８８号公報
【０００８】
しかしながら、特許文献１に記載の技術をナースコールシステムに適用した場合、ナースコール子機の故障の原因や責任の所在の特定を行うことはできるが、ナースコール子機の故障を把握し、代わりのナースコール子機を準備して、ナースコール子機の交換を完了するまでに時間を要してしまうという問題があった。
【０００９】
一方、特許文献２に記載の技術をナースコールシステムに適用した場合、ナースコール子機に衝撃が加わったことを表示することはできるが、その表示を見た医療従事者などは、ナースコール子機にどのような衝撃が加わったかを把握していないので、ナースコール子機が故障しているか否かを推測することができないという問題があった。
【発明の開示】
【発明が解決しようとする課題】
【００１０】
本発明は、このような問題を解決するために成されたものであり、故障しそうで交換や修理の必要があるナースコール子機の存在を医療従事者などに通知することを目的とする。
【課題を解決するための手段】
【００１１】
上述した課題を解決するために、本発明では、ナースコール子機は、衝撃センサにより衝撃を検知してその衝撃の値をナースコール子機の識別信号とともに衝撃検知信号として出力する。ナースコール親機は、衝撃センサに加わった衝撃の値を識別信号に関連付けて記憶部に記憶し、記憶部に記憶された衝撃検知信号からナースコール子機に加わった衝撃の値の合計値を識別信号毎に演算部により算出して、衝撃の値の合計値が所定の値以上となった場合に、識別信号により特定されるナースコール子機が故障しそうであることを予測する故障予測信号を出力する。そして、ナースコール子機が故障しそうであることを提示部に提示するようにしている。
【００１２】
また、本発明の他の態様によれば、ナースコール子機は、衝撃センサにより衝撃を検知してナースコール子機の識別信号とともに衝撃検知信号として出力する。ナースコール親機は、入力した衝撃検知信号の回数を識別信号毎にカウント部によりカウントし、その回数が所定の回数以上となった場合に、識別信号により特定されるナースコール子機が故障しそうであることを予測する故障予測信号を出力する。そして、ナースコール子機が故障しそうであることを提示部に提示するようにしている。
【発明の効果】
【００１３】
以上のように、本発明によれば、ナースコール子機が落下などによる衝撃を受けた場合に、その衝撃の蓄積量を記憶し、その蓄積量が所定の値以上となったときにナースコール子機が故障しそうであると予測されるので、交換や修理の必要があるナースコール子機の存在を医療従事者などに適切に通知することができる。これにより、ナースコール子機が故障する前に、代わりのナースコール子機を準備してナースコール子機の交換を完了することができる。
【００１４】
また、本発明の他の態様によれば、ナースコール子機が落下などによる衝撃を受けた場合に、衝撃を受けた回数をカウントし、その回数が所定の回数以上となったときにナースコール子機が故障しそうであると予測されるので、交換や修理の必要があるナースコール子機の存在を医療従事者などに適切に通知することができる。これにより、ナースコール子機が故障する前に、代わりのナースコール子機を準備してナースコール子機の交換を完了することができる。
【発明を実施するための最良の形態】
【００１５】
以下、本発明の一実施形態を図面に基づいて説明する。図１は、本実施形態によるナースコールシステムの構成例を示すブロック図である。図１に示すように、本実施形態によるナースコールシステムは、ナースコール子機１、ナースコール親機１０を備えて構成されている。
【００１６】
また、ナースコール子機１は、子機用制御部２、呼び出し操作部３、子機用インターフェース４、衝撃センサ５を備えて構成されている。また、ナースコール親機１０は、親機用制御部１１、親機用インターフェース１２、呼び出し報知部１３、記憶部１４、演算部１５、故障予測部１６、提示部１７を備えて構成されている。
【００１７】
ナースコール子機１は、病室内の患者の近辺（例えば、ベッド近傍など）に設置されており、伝送線を介してナースコール親機１０に接続されている。また、ナースコール親機１０は、医療従事者が在室するナースセンターなどに設置されている。ここで、ナースコール親機１０には、複数のナースコール子機１が接続されている（図示せず）。
【００１８】
また、ナースコール子機１とナースコール親機１０との間に廊下灯や制御機などを設けるようにしても良い。ここで、廊下灯は、病室毎に設けられており、各部屋の出入口近傍の外側の壁面などに取り付けられており、患者からの呼び出し時に点灯するなどの状態変化により呼び出しを報知する。また、制御機は、ナースコール子機１から入力した各種の信号を識別すると共に、それらの信号がどの患者からのものであるか（どのベッドからのものであるか）をナースコール子機１から出力される子機識別信号（特許請求の範囲のナースコール子機の識別信号に該当する）により特定してナースコール親機１０に送信する。
【００１９】
子機用制御部２は、ナースコール子機１の各構成要素を後述するように制御する。呼び出し操作部３は、患者により医療従事者を呼び出すための操作を行うもので、ボタンなどにより構成されている。呼び出し操作部３が操作されると、子機用制御部２は、呼び出し信号を生成する。
【００２０】
子機用インターフェース４は、ナースコール親機１０との間で呼び出し信号や音声信号、後述する衝撃検知信号などの送受信を行う。具体的には、子機用インターフェース４は、子機用制御部２により生成された呼び出し信号、医療従事者との通話時の音声信号、衝撃検知信号をナースコール親機１０に送信する。また、子機用インターフェース４は、医療従事者との通話時の音声信号をナースコール親機１０から受信する。ここで、呼び出し信号には、子機識別信号が含まれており、制御機やナースコール親機１０にて、呼び出し信号がどのナースコール子機１から送信されたものであるかを特定することができる。
【００２１】
衝撃センサ５は、周知の加速度センサなどを用いて構成されている。ここで、衝撃センサ５は、衝撃の有無だけではなく、衝撃の値をも計測するようにしている。例えば、衝撃の値を計測するためには、加速度センサとして圧電素子を利用する。圧電素子は、加わった衝撃に応じた電圧値が得られるため、その電圧値を衝撃の値に変換することで衝撃の値が得られる。衝撃センサ５は、ナースコール子機１が衝撃を受けると、その値を出力する。
【００２２】
子機用制御部２は、衝撃センサ５から衝撃の値を入力し、ナースコール子機を識別するための子機識別信号とともに衝撃検知信号を生成して、子機用インターフェース４から出力する。
【００２３】
親機用制御部１１は、ナースコール親機１０の各構成要素を後述するように制御する。親機用インターフェース１２は、ナースコール子機１との間で呼び出し信号や音声信号、衝撃検知信号などの送受信を行う。具体的には、親機用インターフェースは、ナースコール子機１から出力された呼び出し信号および患者との通話時の音声信号、ナースコール子機１に加わった衝撃の値を示す衝撃検知信号を受信する。また、親機用インターフェース１２は、患者との通話時の音声信号をナースコール子機１に送信する。
【００２４】
呼び出し報知部１３は、呼び出し信号に含まれる子機識別信号により特定されるナースコール子機１により呼び出しが行われていることを音声や表示などにより報知する。
【００２５】
親機用制御部１１は、親機用インターフェース１２が受信した衝撃検知信号を解析して、衝撃検知信号に含まれる子機識別信号により衝撃を受けたナースコール子機１を特定するとともに、そのナースコール子機１が受けた衝撃の値を取得する。
【００２６】
記憶部１４は、親機用制御部１１により取得した衝撃の値を子機識別信号に関連付けて記憶する。すなわち、取得した衝撃の値をナースコール子機１毎に記憶する。ここで、記憶部１４に記憶された衝撃の値は、ナースコール子機１が交換されたタイミングなどで図示しないリセットボタンが操作されたときに消去される。
【００２７】
演算部１５は、記憶部１４に記憶された衝撃の値の合計値を子機識別信号毎に算出する。なお、本実施形態では、ナースコール子機１が衝撃を受けた場合に、衝撃の値の全てを記憶部１４に記憶するようにしているが、これに限定されない。例えば、演算部１５により算出された衝撃の値の合計値のみを記憶部１４に記憶するようにしても良い。これにより、記憶部１４が必要とする容量を少なくすることができる。
【００２８】
故障予測部１６は、演算部１５により算出された衝撃の値の合計値を取得し、予め故障予測部１６に設定されている衝撃の値の許容範囲を示す閾値（特許請求の範囲の所定の値に該当する）と比較する。衝撃の値の合計値が閾値以上となった場合には、故障予測部１６は、衝撃の値の合計値が閾値以上となったナースコール子機１を子機識別信号により特定し、そのナースコール子機１にダメージが蓄積されていて、今にも故障しそうな状況であるとの予測結果を出力する。ここで、故障予測部１６に設定されている衝撃の値の合計値の閾値は、ナースコール子機１に対する耐久性の試験の結果などを基に設定される。
【００２９】
親機用制御部１１は、ナースコール子機１が故障しそうな状況であるとの予測結果を故障予測部１６から入力すると、そのナースコール子機１が故障しそうな状況であることを提示部１７に提示する。
【００３０】
提示部１７は、故障予測部１６により特定されるナースコール子機１が故障しそうな状況であることを音声や表示などにより提示する。ここで、提示部１７は、スピーカなどの放音装置、ディスプレイやランプなどの表示装置の何れかまたは両方を備えて構成されている。また、提示部１７と報知部１３とを同じ放音装置や表示装置を兼用するようにしても良い。
【００３１】
このように、ナースコール子機１が故障しそうなことが提示部１７により提示されると、ナースコール親機１０を確認した医療従事者などが該当するナースコール子機１を交換することで、ナースコール子機１が故障する前に交換を実施することが可能となる。
【００３２】
次に、本実施形態によるナースコールシステムの動作およびナースコール子機１の故障予測方法を説明する。図２は、本実施形態によるナースコールシステムの動作およびナースコール子機１の故障予測方法を示すフローチャートである。まず、ナースコール子機１では、衝撃センサ５が衝撃を検知したか否かを子機用制御部２にて調べる（ステップＳ１）。衝撃センサ５が衝撃を検知していないと子機用制御部２にて判断した場合には（ステップＳ１にてＮＯ）、ステップＳ１の処理を繰り返す。
【００３３】
一方、衝撃センサ５が衝撃を検知したと子機用制御部２にて判断した場合には（ステップＳ１にてＹＥＳ）、子機用制御部２は、衝撃センサ５から衝撃の値を入力し、ナースコール子機１を識別するための子機識別情報とともに衝撃検知信号を生成して出力する（ステップＳ２）。そして、ステップＳ１の処理に戻る。
【００３４】
ナースコール親機１０では、親機用インターフェース１２がナースコール子機１から衝撃検知信号を入力したか否かを親機用制御部１１にて調べる（ステップＳ３）。衝撃検知信号を入力していないと親機用制御部１１にて判断した場合には（ステップＳ３にてＮＯ）、ステップＳ３の処理を繰り返す。一方、衝撃検知信号を入力したと親機用制御部１１にて判断した場合には（ステップＳ３にてＹＥＳ）、親機用制御部１１は、衝撃検知信号に含まれる衝撃の値を衝撃検知信号に含まれる子機識別信号に関連付けて記憶部１４に記憶する（ステップＳ４）。
【００３５】
そして、演算部１５は、記憶部１４に記憶された衝撃の値の合計値を子機識別番号毎に算出する（ステップＳ５）。故障予測部１６は、演算部１５により算出された衝撃の値の合計値が所定の値以上となったナースコール子機１が存在するか否かを調べる（ステップＳ６）。衝撃の値の合計値が所定の値以上となったナースコール子機１が存在しないと故障予測部１６にて判断した場合には（ステップＳ６にてＮＯ）、ステップＳ３の処理に戻る。
【００３６】
一方、衝撃の値の合計値が所定の値以上となったナースコール子機１が存在すると故障予測部１６にて判断した場合には（ステップＳ６にてＹＥＳ）、故障予測部１６は、衝撃の値の合計値が所定の値以上となったナースコール子機１を故障しそうなナースコール子機１として提示部１７に提示する（ステップＳ７）。
【００３７】
以上詳しく説明したように、本実施形態によれば、ナースコール子機１は、衝撃センサ５により衝撃を検知してその衝撃の値をナースコール子機１の子機識別信号とともに衝撃検知信号として出力する。ナースコール親機１０は、衝撃センサ５に加わった衝撃の値を子機識別信号に関連付けて記憶部１４に記憶し、記憶部１４に記憶された衝撃検知信号からナースコール子機１に加わった衝撃の値の合計値を子機識別信号毎に演算部１５により算出して、衝撃の値の合計値が所定の値以上となった場合に、子機識別信号により特定されるナースコール子機１が故障しそうであることを故障予測部１６により予測して、提示部１７に提示するようにしている。
【００３８】
これにより、ナースコール子機１が落下などによる衝撃を受けた場合に、その衝撃の蓄積量を記憶し、その蓄積量が所定の値以上となったときにナースコール子機１が故障しそうであると予測されるので、交換や修理の必要があるナースコール子機１の存在を医療従事者などに適切に通知することができる。従って、ナースコール子機１が故障する前に、代わりのナースコール子機１を準備してナースコール子機１の交換を完了することができる。
【００３９】
なお、前述した実施形態では、ナースコール子機１に加わる衝撃の値を衝撃センサ５にて取得し、この値の合計値が所定の値以上となった場合に、故障予測部１６は、ナースコール子機１が故障しそうであると予測するようにしているが、これに限定されない。例えば、ナースコール子機１に加わる衝撃の回数を衝撃センサ５にて取得し、その回数が所定の回数以上となった場合に、ナースコール子機１が故障しそうであると故障予測部１６にて判断するようにしても良い。
【００４０】
具体的には、図３に示すように、ナースコール親機１０は、記憶部１４および演算部１５の代わりにカウント部１８を備えるようにしている。また、ナースコール子機１に設けられた子機用制御部２は、衝撃センサ５が衝撃を検知したことを入力し、子機識別信号とともに衝撃検知信号を生成するようにしている。
【００４１】
このように構成したナースコールシステムの動作を図４に示す。図４は、本実施形態の変形例によるナースコールシステムの動作およびナースコール子機１の故障予測方法を示すフローチャートである。まず、ナースコール子機１では、衝撃センサ５が衝撃を検知したか否かを子機用制御部２にて調べる（ステップＳ１１）。衝撃センサ５が衝撃を検知していないと子機用制御部２にて判断した場合には（ステップＳ１１にてＮＯ）、ステップＳ１１の処理を繰り返す。
【００４２】
一方、衝撃センサ５が衝撃を検知したと子機用制御部２にて判断した場合には（ステップＳ１１にてＹＥＳ）、子機用制御部２は、ナースコール子機１を識別するための子機識別情報とともに衝撃検知信号を生成して出力する（ステップＳ１２）。そして、ステップＳ１１の処理に戻る。
【００４３】
ナースコール親機１０では、親機用インターフェース１２がナースコール子機１から衝撃検知信号を入力したか否かを親機用制御部１１にて調べる（ステップＳ１３）。衝撃検知信号を入力していないと親機用制御部１１にて判断した場合には（ステップＳ１３にてＮＯ）、ステップＳ１３の処理を繰り返す。一方、衝撃検知信号を入力したと親機用制御部１１にて判断した場合には（ステップＳ１３にてＹＥＳ）、親機用制御部１１は、衝撃検知信号に含まれる子機識別信号毎に衝撃検知信号を入力した回数をカウント部１８にてカウントする（ステップＳ１４）。
【００４４】
そして、故障予測部１６は、カウント部１８にてカウントした回数（換言すると、ナースコール子機１が衝撃を受けた回数）が所定の回数以上となったナースコール子機１が存在するか否かを調べる（ステップＳ１５）。カウントした回数が所定の回数以上となったナースコール子機１が存在しないと故障予測部１６にて判断した場合には（ステップＳ１５にてＮＯ）、ステップＳ１３の処理に戻る。
【００４５】
一方、カウントした回数が所定の回数以上となったナースコール子機１が存在すると故障予測部１６にて判断した場合には（ステップＳ１５にてＹＥＳ）、故障予測部１６は、カウントした回数が所定の回数以上となったナースコール子機１を故障しそうなナースコール子機１として提示部１７に提示する（ステップＳ１６）。
【００４６】
このように、ナースコール子機１が落下などによる衝撃を受けた場合に、衝撃を受けた回数をカウントし、その回数が所定の回数以上となったときにナースコール子機１が故障しそうであると予測されるので、交換や修理の必要があるナースコール子機１の存在を医療従事者などに適切に通知することができる。なお、このような場合において、ナースコール親機１０にタイマーを設け、ナースコール子機１が所定の時間内に衝撃を受けた回数によって、故障予測部１６は、ナースコール子機１が故障していると予測するようにしても良い。
【００４７】
また、前述した実施形態では、記憶部１４、演算部１５、故障予測部１６、提示部１７（変形例では、故障予測部１６、提示部１７、カウント部１８に該当する）をナースコール親機１０に設けているが、これに限定されない。例えば、これらの一部または全ての構成要素をナースコール子機１に設けるようにしても良い。これにより、故障しそうなナースコール子機１を現場（病室）で確認することができる。
【００４８】
また、前述した実施形態では、記憶部１４、演算部１５、故障予測部１６、提示部１７（変形例では、故障予測部１６、提示部１７、カウント部１８に該当する）をナースコール親機１０に設けているが、これに限定されない。例えば、これらの一部または全ての構成要素をナースコールシステムの外部（病院外）、例えば、ナースコールシステムを保守する保守センターなどに設けるようにしても良い。これにより、保守センターの従業員が故障しそうなナースコール子機１の存在を把握することができるので、前もって交換用のナースコール子機１を準備したり、ナースコール子機１の交換を提案したりというセールス活動に活かすことができる。また、医療従事者は、ナースコール子機１の故障に気を使う必要が無くなる。
【００４９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００５０】
【図１】本実施形態によるナースコールシステムの構成例を示すブロック図である。
【図２】本実施形態によるナースコールシステムの動作およびナースコール子機の故障予測方法を示すフローチャートである。
【図３】本実施形態によるナースコールシステムの変形例を示すブロック図である。
【図４】本実施形態の変形例によるナースコールシステムの動作およびナースコール子機の故障予測方法を示すフローチャートである。
【符号の説明】
【００５１】
１    ナースコール子機
２    子機用制御部
３    呼び出し操作部
４    子機用インターフェース
１０    ナースコール親機
１１    親機用制御部
１２    親機用インターフェース
１３    呼び出し報知部
１４    記憶部
１５    演算部
１６    故障予測部
１７    提示部
１８    カウント部
【図１】
2009006069.tif 000003
【図２】
2009006069.tif 000004
【図３】
2009006069.tif 000005
【図４】
2009006069.tif 000006